(57)【要約】【課題】１２セグメント放送と１セグメント放送の切り替え時に映像や音声が途切れることなく、低消費電力化を図ることができるようにする。【解決手段】デジタル放送受信機１では、１２セグメント放送を出力している状態から、１セグメント放送を出力する状態に切り替えるときに、１ｓｅｇＯＦＤＭ復調部３０の電源を投入して起動し、１／１２ｓｅｇＯＦＤＭ復調部３１で復調した１２セグメント放送のストリームから１セグメント放送のストリームを分離してデコードして出力する。そして、１ｓｅｇＯＦＤＭ復調部３０の起動が完了した後に、出力させるストリームを１／１２ｓｅｇＯＦＤＭ復調部３１で復調したストリームから、１ｓｅｇＯＦＤＭ復調部３０で復調したストリームに切り替えて、１／１２ｓｅｇＯＦＤＭ復調部３１の動作を停止させる。【選択図】図１
2010136184.tif 000002
【特許請求の範囲】
【請求項１】
周波数帯域内のセグメントに割り当てられた１セグメント放送と複数のセグメントを使用した複数セグメント放送とを受信して選局するチューナ部と、該チューナ部が受信した１セグメント放送を復調する１セグメント復調部と、前記チューナ部が受信した複数セグメント放送を復調する複数セグメント復調部と、前記１セグメント復調部及び前記複数セグメント復調部が復調したストリームをデコードするデコード部と、該デコード部でデコードしたストリームを出力する出力部とを備えたデジタル放送受信機において、
前記出力部が、前記複数セグメント放送を出力している状態から、前記１セグメント放送を出力する状態に切り替えるときに、前記１セグメント復調部の電源を投入して起動し、前記複数セグメント放送を復調したストリームから１セグメント放送のストリームを分離して前記デコード部でデコードして前記出力部から出力し、
前記１セグメント復調部の起動が完了した後に、前記出力部から出力させるストリームを前記複数セグメント復調部で復調したストリームから前記１セグメント復調部で復調したストリームに切り替えることを特徴とするデジタル放送受信機。
【請求項２】
請求項１に記載のデジタル放送受信機において、前記複数セグメント復調部で復調したストリームから前記１セグメント復調部で復調したストリームに切り替えた後に、前記複数セグメント復調部の動作を停止することを特徴とするデジタル放送受信機。
【請求項３】
請求項１または２に記載のデジタル放送受信機において、前記デコード部は、復調された１セグメント放送のストリームをデコードする１セグメントデコード部と、復調された複数セグメント放送のストリームをデコードする複数セグメントデコード部とを有し、前記複数セグメント放送を出力している状態から、前記１セグメント放送を出力する状態に切り替えるときに、前記複数セグメント復調部で復調されたストリームを前記１セグメントデコード部に出力させるように切り替えるＴＳ切替部を有することを特徴とするデジタル放送受信機。
【請求項４】
請求項１〜３のいずれか１に記載のデジタル放送受信機において、前記チューナ部として、１セグメント放送を受信する１セグメントチューナ部と、複数セグメント放送を受信する複数セグメントチューナ部とを有し、前記複数セグメント放送を出力している状態から、前記１セグメント放送を出力する状態に切り替えるときに、前記１セグメントチューナ部の電源を投入して起動し、前記１セグメント復調部の起動が完了した後に、前記出力部から出力させるストリームを前記複数セグメントチューナ部で受信したストリームから前記１セグメントチューナ部で受信したストリームに切り替えることを特徴とするデジタル放送受信機。
【請求項５】
請求項１〜４のいずれか１に記載のデジタル放送受信機において、前記１セグメント放送は、前記複数セグメント放送のサイマル放送であって、前記複数セグメント放送をデコードして前記出力部から出力しているときに、所定条件に基づいて受信状態が劣化したと判断したとき、もしくは所定のユーザ操作による指示入力があった際に、前記複数セグメント放送を出力している状態から、前記１セグメント放送を出力する状態に切り替えることを特徴とするデジタル放送受信機。
【発明の詳細な説明】
【技術分野】
【０００１】
本発明は、デジタル放送受信機、より詳細には、１２セグメント放送及び１セグメント放送が受信可能なデジタル放送受信機に関する。
【背景技術】
【０００２】
図７は、地上デジタル放送の概要を説明する図で、地上デジタルの１チャネル分の放送信号の構成を示すものである。１セグメント・サービスは、地上デジタルテレビジョン放送波の１セグメントを使用した携帯端末向けのサービスであり、そのサービスを構成するＴＳ（Transport Stream）は放送チャネルの周波数中心の１セグメントだけで伝送されているように割り付けられている。このため、地上デジタル放送の放送波の中心部分を１セグメントの帯域幅で部分受信することにより、１セグメント信号のＴＳを再生することができる。
【０００３】
１２セグメント（フルセグ）は、主に固定受信装置向けの放送サービスであり、１セグメントのセグメントとは異なる１２セグメントを使用したＨＤ（High-Definition）の番組が放送されている。また４セグメントのＳＤ（Standard Definition）を２〜３番組同時に放送する形態もある。
１セグメントのサービスと１２セグメントのＨＤのサービスは、通常、サイマル放送により同じ番組が放送されている。また、１２セグメントでＳＤを複数放送する場合にはその複数のＳＤの番組の１つと同じ番組がサイマルによって１セグメントにて放送される。
【０００４】
デジタル放送では、ＯＦＤＭ（Orthogonal Frequency-Division Multiplexing）による無線通信が行われその変調方式として一般に１セグメント放送にはＱＰＳＫ（Quadrature Phase Shift Keying）が用いられ、１２セグメント放送には６４ＱＡＭ（Quadrature Amplitude Modulation）が用いられる。また、画像符号化方式は、１セグメントでは限られた伝送速度の中で高効率の圧縮符号化を行うためにＨ．２６４／ＡＶＣ（Advanced Video Coding）が用いられ、１２セグメントにはＭＰＥＧ（Moving Picture Experts Group）２が用いられている。また音声符号化方式としては１セグメント、１２セグメントともにＭＰＥＧ２  ＡＡＣ（Advanced Audio Coding）が用いられる。
【０００５】
携帯電話などの端末装置では、１セグメント放送を受信できるものが一般的である。また、例えばカーナビなどの端末装置では、１２セグメントと１セグメントの両方が受信可能となっていて、映像や音質の品位が高い１２セグメントを受信中に受信状態が劣化したとき、１２セグメントよりも伝送誤りに強い１セグメントに切り替えるようにしたものも提供されている。
【０００６】
図８は、１２セグメントと１セグメントの両方の放送信号を受信可能とした従来のデジタル放送受信機の構成例を説明するためのブロック図である。
デジタル放送受信機１は、アンテナ１０で受信した１３セグメントのデジタル放送信号をするチューナである１３ｓｅｇＲＦ２０を備える。そして１３ｓｅｇＲＦ２０から出力された１３ｓｅｇのＩＦ（中間周波数信号）は、１セグメント用のＯＦＤＭ復調部（１ｓｅｇＯＦＤＭ復調部）３０と、１セグメント放送及び１２セグメント放送の両方を復調できる１／１２ｓｅｇＯＦＤＭ復調部３１に入力し、復調される。
【０００７】
１ｓｅｇＯＦＤＭ復調部３０で復調された１セグメントのＴＳは、第１Ｄｅｍｕｘ５０及び第３Ｄｅｍｕｘ５２に出力される。そして第１Ｄｅｍｕｘ５０からは、１セグメントのＴＳから分離された音声（Ａｕｄｉｏ）信号が出力され、第３Ｄｅｍｕｘ５２からは、１セグメント放送のＴＳから分離された映像（Ｖｉｄｅｏ）信号が出力される。第１Ｄｅｍｕｘ５０から出力された音声信号は、１セグメント用のデコーダ（１ｓｅｇＡＡＣデコーダ）６０でデコードされ、Ａｕｄｉｏ切替部７０で経路選択され音声出力部８０にて音声出力される。１ｓｅｇＡＡＣデコーダ６０は、ＭＰＥＧ２ＡＡＣで符号化された音声をデコードする。
また、第３Ｄｅｍｕｘ５２から出力された映像信号は、１セグメント用のデコーダ（Ｈ．２６４デコーダ）６２でデコードされ、Ｖｉｄｅｏ切替部７１で経路選択され、表示部８１にて表示される。Ｈ．２６４デコーダ６２は、Ｈ．２６４／ＡＶＣで符号化された映像信号をデコードする。
【０００８】
一方、１／１２ｓｅｇＯＦＤＭ復調部３１では、１３セグメントのＩＦ信号が復調され、１セグメントと１２セグメントが混在した１／１２セグメントのＴＳが出力される。そして１／１２セグメントのＴＳは、第２Ｄｅｍｕｘ５１及び第４Ｄｅｍｕｘ５３に出力される。第２Ｄｅｍｕｘ５１からは音声（Ａｕｄｉｏ）信号が出力され、第４Ｄｅｍｕｘ５３からは映像（Ｖｉｄｅｏ）信号が出力される。第２Ｄｅｍｕｘ５１から出力された音声信号は、１２セグメント用のデコーダ（１２ｓｅｇＡＡＣデコーダ）６１でデコードされ、Ａｕｄｉｏ切替部７０で経路選択され、音声出力部８０にて音声出力される。１２ｓｅｇＡＡＣデコーダ６０は、ＭＰＥＧ２ＡＡＣで符号化された音声をデコードする。
また、第４Ｄｅｍｕｘ５３から出力された映像信号は、１２セグメント用のデコーダ（ＭＰＥＧ２デコーダ）６３でデコードされ、Ｖｉｄｅｏ切替部７１で経路選択され表示部８１にて表示される。ＭＰＥＧ２デコーダ６３は、ＭＰＥＧ２で符号化された映像信号をデコードする。  
また、電源制御部９０は上記各部への電源を供給し制御部１００は装置全体を制御する。
【０００９】
上記のような構成によりアンテナ１０で受信したデジタル放送信号から、１セグメント放送と１２セグメント放送を選択して出力させることができる。この場合、ユーザ操作等に従って制御部１００が各部を制御し、ＯＦＤＭ復調部とＤｅｍｕｘ及びデコーダを選択することで、１セグメント放送及び１２セグメント放送のいずれかの放送番組を出力させることができる。
【００１０】
このように、１セグメント放送と１２セグメント放送との両方が受信可能なデジタル放送受信機では、１２セグメント放送を受信して出力しているときに受信状態が劣化すると、サイマルで放送されている１セグメント放送に切り替えるものがある。この場合１２セグメント放送は広帯域であり、かつ６４ＱＡＭを使用しているため所要ＣＮ（Career to Noise）が高く、１セグメント放送に比べて高品質であるが伝送時の誤りが生じやすい。従って１２セグメント放送の出力中に受信環境等によって１２セグメント放送の受信状態が劣化した場合は、低画質、低音質であるが所要ＣＮが低く誤りにくい１セグメント放送に切り替えて出力させるようにしている。このような受信状態に応じて１２セグメント放送から１セグメント放送に切り替えることにより、多少の品位低下があっても受信番組が途切れることなく番組の表示及び音声出力を継続させることができる。
【００１１】
一方、１セグメント放送と１２セグメント放送に対応した端末装置は、今後携帯電話のような小型の携帯機器も適用されるものと予想される。このような端末装置は、殆どの場合、内蔵のバッテリーによって駆動するため、低消費電力化についても大きな課題となる。
【００１２】
例えば、特許文献１には、電池駆動時には電力消費の少ない放送サービスに切り替えることにより、電池の延命化を図るようにした受信機が開示されている。特許文献１の受信機は、複数のセグメントの全てを受信することにより周波数帯域に対応する放送内容を再生する第１の受信再生手段と、複数のセグメントの一部を受信することにより周波数帯域に対応する放送内容を再生する第２の受信再生出力手段と、外部電源供給手段もしくは内部電源供給手段の何れかから電源を生成する電源生成手段と、生成された電源が外部電源供給手段より生成されたものか内部電源供給手段より生成されたものかを判定する判定手段と、判定手段による判定結果により第１の受信再生手段、第２の受信再生手段の何れかを動作させる動作制御手段とを備えている。
【特許文献１】特開２００４−３６４９０５号公報
【発明の開示】
【発明が解決しようとする課題】
【００１３】
従来の１セグメント放送と１２セグメント放送との両方が受信可能なデジタル放送受信機において、１２セグメント放送を受信して出力しているときに受信状態が劣化すると１セグメント放送の出力に切り替える構成のものでは、１セグメント放送のみを受信する方より１セグメント放送と１２セグメント放送を切り替えて受信する方が消費電力が高くなるという課題が存在する。
例えば１セグメントと１２セグメントが混在したＴＳを出力する１／１２ｓｅｇＯＦＤＭ復調部を持った構成では、受信劣化等によって１２セグメント放送から１セグメント放送に切り替えたときにも、継続して１／１２ｓｅｇＯＦＤＭ復調部を使用し続けることになる。このような１／１２ｓｅｇＯＦＤＭ復調部３１は、１セグメント放送のみを復調する１ｓｅｇＯＦＤＭ復調部よりも消費電力が高く、１／１２ｓｅｇＯＦＤＭを使用し続けることは消費電力の面から不利となる。
【００１４】
これに対して、図８に示すように、１／１２ｓｅｇＯＦＤＭ復調部３１と１ｓｅｇＯＦＤＭ復調部３０とを備え、受信劣化等によって１２セグメント放送から１セグメント放送に切り替えたときに、復調部については１／１２ｓｅｇＯＦＤＭ復調部３１から１ｓｅｇＯＦＤＭ復調部３０に切り替えることで低消費電力化を図ることが考えられる。
しかしながら、１２セグメント放送から１セグメント放送に切り替えるときに、１ｓｅｇＯＦＤＭ復調部３０の電源を入れると、１ｓｅｇＯＦＤＭ復調部３０が起動して動作するまでにタイムラグが生じてしまい、切り替え時に画像や音声が途切れるという問題が生じる。このような問題を防ぐためには、１２セグメント放送から１セグメント放送への急な切り替えに備えて、１ｓｅｇＯＦＤＭ復調部３０の電源を常時投入しておく必要が生じ、低消費電力化という観点からは問題となる。
【００１５】
また、１２セグメント放送の復調部は、１３セグメントを一括して処理するため、復調部からの出力は、１セグメントと１２セグメントが混在したＴＳとなる。従って特許文献１の技術のように、復調部で１セグメントと１２セグメントを個別に制御することは困難であるといえる。また、復調部において６４ＱＡＭとＤＱＰＳＫの復調を個別に制御できたとしても、１２セグメント放送から１セグメント放送に切り替えたときに、画面と音声が途切れることなく切り替えるためには、切り替え時に１セグメントＴＳが復調部から出力されている必要がある。そのためには、１２セグメント放送から１セグメント放送に切り替える前に復調部に電源を入れて１セグメント放送の復調を動作させておく必要があるため、結果的に常時復調部を動作させることになり、低消費電力化を図ることができない。
【００１６】
本発明は上述のごとき実情に鑑みてなされたもので、複数セグメント放送と１セグメント放送の両方を受信可能でこれらの切り替えを行うようにしたデジタル放送受信機において、複数セグメント放送と１セグメント放送の切り替え時に映像や音声が途切れることなく、低消費電力化を図ることができるようにしたデジタル放送受信機を提供することを目的とする。
【課題を解決するための手段】
【００１７】
上記課題を解決するために本発明の第１の技術手段は、周波数帯域内のセグメントに割り当てられた１セグメント放送と複数のセグメントを使用した複数セグメント放送とを受信して選局するチューナ部と、チューナ部が受信した１セグメント放送を復調する１セグメント復調部と、チューナ部が受信した複数セグメント放送を復調する複数セグメント復調部と、１セグメント復調部及び複数セグメント復調部が復調したストリームをデコードするデコード部と、デコード部でデコードしたストリームを出力する出力部とを備えたデジタル放送受信機において、出力部が、複数セグメント放送を出力している状態から、１セグメント放送を出力する状態に切り替えるときに、１セグメント復調部の電源を投入して起動し、複数セグメント放送を復調したストリームから１セグメント放送のストリームを分離してデコード部でデコードして出力部から出力し、１セグメント復調部の起動が完了した後に、出力部から出力させるストリームを複数セグメント復調部で復調したストリームから１セグメント復調部で復調したストリームに切り替えることを特徴としたものである。
【００１８】
第２の技術手段は、第１の技術手段において、複数セグメント復調部で復調したストリームから１セグメント復調部で復調したストリームに切り替えた後に、複数セグメント復調部の動作を停止することを特徴としたものである。
【００１９】
第３の技術手段は、第１または第２の技術手段において、デコード部が、復調された１セグメント放送のストリームをデコードする１セグメントデコード部と、復調された複数セグメント放送のストリームをデコードする複数セグメントデコード部とを有し、複数セグメント放送を出力している状態から、１セグメント放送を出力する状態に切り替えるときに、複数セグメント復調部で復調されたストリームを前記１セグメントデコード部に出力させるように切り替えるＴＳ切替部を有することを特徴としたものである。
【００２０】
第４の技術手段は、第１〜第３のいずれか１の技術手段において、チューナ部として、１セグメント放送を受信する１セグメントチューナ部と、複数セグメント放送を受信する複数セグメントチューナ部とを有し、複数セグメント放送を出力している状態から、１セグメント放送を出力する状態に切り替えるときに、１セグメントチューナ部の電源を投入して起動し、１セグメント復調部の起動が完了した後に、出力部から出力させるストリームを複数セグメントチューナ部で受信したストリームから１セグメントチューナ部で受信したストリームに切り替えることを特徴としたものである。
【００２１】
第５の技術手段は、第１〜第３のいずれか１の技術手段において、１セグメント放送が、複数セグメント放送のサイマル放送であって、複数セグメント放送をデコードして出力部から出力しているときに、所定条件に基づいて受信状態が劣化したと判断したとき、もしくは所定のユーザ操作による指示入力があった際に、複数セグメント放送を出力している状態から、１セグメント放送を出力する状態に切り替えることを特徴としたものである。
【発明の効果】
【００２２】
本発明によれば、複数セグメント放送と１セグメント放送の両方を受信可能でこれらの切り替えを行うようにしたデジタル放送受信機において、複数セグメント放送と１セグメント放送の切り替え時に映像や音声が途切れることなく、低消費電力化を図ることができるようにしたデジタル放送受信機を提供することができる。
【発明を実施するための最良の形態】
【００２３】
（実施形態１）
図１は、本発明によるデジタル放送受信機の１実施形態の構成例を説明するためのブロック図である。
デジタル放送受信機１は、アンテナ１０で受信した１３セグメントのデジタル放送信号をするチューナ部である１３ｓｅｇＲＦ２０を備える。そして１３ｓｅｇＲＦ２０から出力された１３ｓｅｇのＩＦ（中間周波数信号）は、１セグメント用のＯＦＤＭ復調部（１ｓｅｇＯＦＤＭ復調部）３０と、１セグメント放送及び１２セグメント放送の両方を復調できる１／１２ｓｅｇＯＦＤＭ復調部３１に入力し、復調される。１ｓｅｇＯＦＤＭ復調部３０及び１／１２ｓｅｇ復調部３１は、それぞれ発振回路を内蔵しており、その外部に水晶振動子１１０、１１１を接続することで動作クロックを発生する。なお各復調部の動作クロックを発生するための構成としては、上記のような水晶振動子１１０、１１１を外付けする構成のみならず、デジタル放送受信機内の別のブロックで使用しているクロックを各ＯＦＤＭ復調部３０、３１に供給して動作クロックとする構成であってもよい。１ｓｅｇＯＦＤＭ復調部３０は、本発明の１セグメント復調部に該当し、１／１２ｓｅｇＯＦＤＭ復調部３１は、本発明の複数セグメント復調部に該当する。
【００２４】
本発明に係る一実施形態の特徴として、デジタル放送受信機１は、ＴＳ切替部４０を備えている。ＴＳ切替部４０には、１ｓｅｇＯＦＤＭ復調部３０で復調された１セグメントのＴＳ、及び１／１２ｓｅｇＯＦＤＭ復調部３１で復調された１セグメントと１２セグメントが混在した１／１２セグメントのＴＳが入力可能となっていて、制御部１００の制御によって出力が切り替えられるようになっている。
【００２５】
１ｓｅｇＯＦＤＭ復調部３０で復調され、ＴＳ切替部４０の制御によって出力された１セグメントのＴＳは、第１Ｄｅｍｕｘ５０及び第３Ｄｅｍｕｘ５２に出力される。そして第１Ｄｅｍｕｘ５０からは、１セグメントのＴＳから分離された音声（Ａｕｄｉｏ）信号が出力され、第３Ｄｅｍｕｘ５２からは、１セグメントのＴＳから分離された映像（Ｖｉｄｅｏ）信号が出力される。第１Ｄｅｍｕｘ５０から出力された音声信号は、１セグメント用のデコーダ（１ｓｅｇＡＡＣデコーダ）６０でデコードされ、Ａｕｄｉｏ切替部７０で経路選択され、音声出力部８０にて音声出力される。１ｓｅｇＡＡＣデコーダ６０は、ＭＰＥＧ２ＡＡＣで符号化された音声をデコードする。
また、第３Ｄｅｍｕｘ５２から出力された映像信号は、１セグメント用のデコーダ（Ｈ．２６４デコーダ）６２でデコードされ、Ｖｉｄｅｏ切替部７１で経路選択され表示部８１にて表示される。Ｈ．２６４デコーダ６２は、Ｈ．２６４／ＡＶＣで符号化された映像信号をデコードする。
【００２６】
一方、１／１２ｓｅｇＯＦＤＭ復調部３１では、１３セグメントのＩＦ信号が復調され１セグメントと１２セグメントが混在した１／１２セグメントのＴＳが出力される。そして１／１２セグメントのＴＳは、ＴＳ切替部４０に出力されるとともに、第２Ｄｅｍｕｘ５１及び第４Ｄｅｍｕｘ５３にも出力される。本実施形態では、後述のように１２セグメント放送から１セグメント放送への切り替え時に、１／１２セグメントのＴＳに混在している１セグメントを使用してデコードを行うため、このような構成となる。
第２Ｄｅｍｕｘ５１からは音声（Ａｕｄｉｏ）信号が出力され、第４Ｄｅｍｕｘ５３からは映像（Ｖｉｄｅｏ）信号が出力される。第２Ｄｅｍｕｘ５１から出力された音声信号は、１２セグメント用のデコーダ（１２ｓｅｇＡＡＣデコーダ）６１でデコードされ、Ａｕｄｉｏ切替部７０で経路選択され、音声出力部８０にて音声出力される。１２ｓｅｇＡＡＣデコーダ６０は、ＭＰＥＧ２ＡＡＣで符号化された音声をデコードする。
また、第４Ｄｅｍｕｘ５３から出力された映像信号は、１２セグメント用のデコーダ（ＭＰＥＧ２デコーダ）６３でデコードされ、Ｖｉｄｅｏ切替部７１で経路選択され表示部８１にて表示される。ＭＰＥＧ２デコーダは、ＭＰＥＧ２で符号化された映像信号をデコードする。  
【００２７】
一方、ＴＳ切替部４０から出力された１／１２セグメントのＴＳは、第１Ｄｅｍｕｘ５０及び第３Ｄｅｍｕｘ５２に出力される。そして第１Ｄｅｍｕｘ５０は、１／１２セグメントのＴＳから１セグメントのＴＳの音声信号を分離して出力する。一方、第３Ｄｅｍｕｘ５２は１／１２セグメントのＴＳから１セグの映像（Ｖｉｄｅｏ）信号を分離して出力する。第１Ｄｅｍｕｘ５０から出力された音声信号は、１セグ用のデコーダ（１ｓｅｇＡＡＣデコーダ）６０でデコードされ、Ａｕｄｉｏ切替部７０で経路選択され、音声出力部８０にて音声出力される。１ｓｅｇＡＡＣデコーダ６０は、ＭＰＥＧ２ＡＡＣで符号化された音声をデコードする。また、第３Ｄｅｍｕｘ５２から出力された映像信号は、１セグメント用のデコーダ（Ｈ．２６４デコーダ）６２でデコードされ、Ｖｉｄｅｏ切替部７１で経路選択され、表示部８１にて表示される。Ｈ．２６４デコーダ６２は、Ｈ．２６４／ＡＶＣで符号化された映像信号をデコードする。上記の１ｓｅｇＡＡＣデコーダ６０、１２ｓｅｇＡＡＣデコーダ６１、Ｈ．２６４デコーダ６２、及びＭＰＥＧ２デコーダ６３が本発明のデコード部に相当し、特に１２ｓｅｇＡＡＣデコーダ６１およびＭＰＥＧ２デコーダ６３が本発明の１２セグメントデコード部に相当し、１ｓｅｇＡＡＣデコーダ６０およびＨ．２６４デコーダ６２が本発明の１セグメントデコード部に相当する。また、Ａｕｄｉｏ切替部７０、Ｖｉｄｅｏ切替部７１、音声出力部８０及び表示部８１が本発明の出力部に該当する。
また、図１において、電源制御部９０は、上記各部への電源を供給する制御を行うものであり、制御部１００は装置全体を制御するものである。
【００２８】
上記のような構成により、アンテナ１０で受信したデジタル放送信号から、１セグメント放送と１２セグメント放送を選択して出力させることができる。この場合、受信状態の劣化時やユーザ操作等に従って制御部１００が各部を制御し、ＯＦＤＭ復調部とＤｅｍｕｘ、デコーダ及びＴＳ切替部の切替経路を選択することで、１セグメント放送及び１２セグメント放送のいずれかの放送番組を出力させることができる。
【００２９】
図２は、図１に示す構成において、１２セグメント放送から１セグメント放送に切り替えるときの各部の動作を説明するための図である。
まずデジタル放送受信機１は、状態１にて、１２セグメント放送を受信し映像・音声を出力しているものとする。この場合、受信状態は“良”である。“良”とは、１２セグメントの放送番組を受信して映像・音声を出力できる受信環境にある状態である。また、状態１では、ＡＡＣデコーダとしては１２ｓｅｇＡＡＣデコーダ６１が用いられ、ＶｉｄｅｏデコーダとしてはＭＰＥＧ２デコーダ６３が用いられる。このときに、１ｓｅｇＯＦＤＭ復調部３０の電源制御はＯＦＦになっている。また、１／１２ｓｅｇＯＦＤＭ復調部３１の電源制御はＯＮである。
【００３０】
また、状態１では、ＴＳ切替部４０の出力は、１２ｓｅｇＴＳ側に切り替えられている。これはＴＳ切替部４０のスイッチングの出力が１２ｓｅｇ側に切り替えられ、１ｓｅｇ用の経路（第１Ｄｅｍｕｘ５０、及び第３Ｄｅｍｕｘ５２）へは出力されていないことを示している。実際にデコードするＴＳは、１／１２ｓｅｇＯＦＤＭ復調部３１から出力された１／１２セグメントのＴＳが、ＴＳ切り替え部４０を経ることなく第２Ｄｅｍｕｘ５１、及び第４Ｄｅｍｕｘ５３に入力し、１／１２セグメントから分離された１２セグメントのＴＳとなる。
【００３１】
状態１で受信状態の劣化が検出されると、１セグメント放送への切り替え動作に入る。受信状態が劣化したか否かは所定条件によって自動判定される。例えば、デジタル放送受信機の制御部１００では、ＯＦＤＭ復調部で検出できるＣＮや誤り率（ＢＥＲ；Bit Error Rate）などの所定の特性値を所定の閾値と比較することで、受信状態の劣化の有無を判定する。またこの他１２セグメント放送から１セグメント放送への切り替えは、所定のユーザ操作による切り替え指示によっても実行される。
【００３２】
１２セグメント放送から１セグメント放送への切り替え動作が生じると、デジタル放送受信機では、図２の状態１から状態２へ移行する。状態２では、１ｓｅｇＯＦＤＭ復調部３０の電源を投入するとともに、１／１２ｓｅｇＯＦＤＭ復調部３１で復調した１／１２ｓｅｇのうちの１セグメントのＴＳを使用した映像・音声の出力に切り替える。
受信状態２では、受信状態は“悪”である。“悪”とは、１２セグメントの放送番組を受信して映像・音声を出力できる受信環境にはない状態である。このときユーザ操作によって１セグメント放送への切り替えが生じた場合には、受信状態が“良”であっても状態移行が発生する。
【００３３】
状態２では、ＴＳ切替部４０のスイッチングの出力が１ｓｅｇ側に切り替えられ、１／１２ｓｅｇＯＦＤＭ復調部３１で復調され出力された１／１２ｓｅｇのＴＳがＴＳ切替部４０を介して、１ｓｅｇ用の経路（第１Ｄｅｍｕｘ５０、及び第３Ｄｅｍｕｘ５２）に出力される。ここでは、実際にデコードするＴＳは、１／１２ｓｅｇＯＦＤＭ復調部３１から出力された１／１２セグメントのＴＳが、ＴＳ切替部４０を経て第１Ｄｅｍｕｘ５０及び第３Ｄｅｍｕｘ５２に入力し、１／１２ｓｅｇのＴＳから分離された１セグメントのＴＳとなる。これにより、受信状態が急激に劣化した段階で、電源をＯＦＦにしておいた１ｓｅｇＯＦＤＭ復調部３０の電源を投入しても、１／１２ｓｅｇのＴＳから分離された１セグメントのＴＳをデコードして出力するため、受信状態の劣化に強い１セグメント放送にただちに切り替えることができる。
【００３４】
状態２では、ＡＡＣデコーダとしては１ｓｅｇＡＡＣデコーダ６０が用いられ、ＶｉｄｅｏデコーダとしてはＨ．２６４デコーダ６２が用いられる。これら１ｓｅｇＡＡＣデコーダ６０及びＨ．２６４デコーダ６２では１／１２ｓｅｇＯＦＤＭ３１で復調され、各Ｄｅｍｕｘ５０，５２で分離された１セグの音声及び映像のデコードをそれぞれ実行する。
そして状態２では、１ｓｅｇＯＦＤＭ復調部３０の電源、及び１／１２ｓｅｇＯＦＤＭ復調部３１の電源制御がＯＮとなる。
【００３５】
電源を投入した１ｓｅｇＯＦＤＭ復調部３０が起動すると、状態２から状態３へ移行する。状態３は、１ｓｅｇＯＦＤＭ復調部３０で復調した１セグメントのＴＳを使用して映像・音声を出力する状態である。状態３では、ＴＳ切替部４０の出力は１ｓｅｇＴＳ側のままである。つまり、１ｓｅｇＯＦＤＭ復調部３０で復調されて出力された１セグメントのＴＳを、第１Ｄｅｍｕｘ５０及び第３Ｄｅｍｕｘ５２に出力させる。
【００３６】
状態３では、ＡＡＣデコーダとしては１ｓｅｇＡＡＣデコーダ６０が用いられ、ＶｉｄｅｏデコーダとしてはＨ．２６４デコーダ６２が用いられる。これら１ｓｅｇＡＡＣデコーダ６０及びＨ．２６４デコーダ６２では、１ｓｅｇＯＦＤＭ復調部３０で復調され、各Ｄｅｍｕｘ５０，５２で分離された１セグメントの音声及び映像のデコードをそれぞれ実行する。
そして状態３では、１ｓｅｇＯＦＤＭ復調部３０の電源はＯＮのままであり、１／１２ｓｅｇＯＦＤＭ復調部３１の電源制御はＯＦＦとなる。
【００３７】
上記の動作によって、１２セグメントの状態１から１セグメントの状態３に移行するときに、１ｓｅｇＯＦＤＭ復調部３０の電源をＯＮにしてそのデコード信号を出力できるようになるまで、状態２で動作することにより、映像や音声が途切れることなく、１２セグメント放送から１セグメント放送への切り替えを行うことができる。また、１２セグメント放送から１セグメント放送に切り替えるまでは、１ｓｅｇＯＦＤＭ復調部３０の電源をＯＦＦにしておくことができ、かつ１２セグメント放送から１セグメント放送に切り替えた後は、１ｓｅｇＯＦＤＭ復調部３０よりも消費電力の大きい１／１２ｓｅｇＯＦＤＭ復調部３１の電源をＯＦＦにすることができ、低消費電力化を図ることができる。
【００３８】
なお、１セグメント放送を出力している状態３から、受信状態の好転などにより１２セグメント放送の出力に切り替える場合には、１／１２ｓｅｇＯＦＤＭ復調部３１の電源をＯＮにし、その後１／１２ｓｅｇＯＦＤＭ復調部３１が立ち上がった段階で１２セグメント放送に切り替えればよい。つまりこの段階では、受信状態は良好になっているため、切り替えに急を要することはなく、画像や音声の途切れを心配することなく１セグメント放送から１２セグメント放送への切り替えが可能となる。
【００３９】
図３は、本発明に係るデジタル放送受信機の動作タイミングを説明するためのタイムチャート図で、１２セグメント（１２ｓｅｇ）放送から１セグメント放送への切り替え時の動作を示すものである。ここでは、図１の構成における１ｓｅｇＯＦＤＭ復調部３０、１／１２ｓｅｇＯＦＤＭ復調部３１、ＴＳ切替部４０、Ｈ．２６４デコーダ６２、ＭＰＥＧ２デコーダ６３、Ｖｉｄｅｏ切替部７１、表示部８１、１ｓｅｇＡＡＣデコーダ６０、１２ｓｅｇＡＡＣデコーダ６１、Ａｕｄｉｏ切替部７０、Ａｕｄｉｏ（音声）出力部８０の動作タイミングを示している。
【００４０】
１２セグメント放送を受信して出力している状態（図２の状態１）では、１ｓｅｇＯＦＤＭ復調部３０の電源はＯＦＦで、１／１２ｓｅｇＩＦＤＭ復調部３１の電源はＯＮになっている。そしてＴＳ切替部４０の出力は、１／１２ｓｅｇ側になっている。また１セグメント用のＨ．２６４デコーダ６２、及び１２セグメント用のＭＰＥＧ２デコーダ６３は共にＯＮである。Ｖｉｄｅｏ切替部７１からは、ＭＰＥＧ２による１２セグメント放送の映像が出力され、表示部８１の画面表示は、ＭＰＥＧ２（１２ｓｅｇ）の映像となる。
【００４１】
また、音声に関しては、この状態では、１ｓｅｇＡＡＣデコーダ６０、及び１２ｓｅｇＡＡＣデコーダ６１は共にＯＮである。Ａｕｄｉｏ切替部７０からは、１２ｓｅｇＡＡＣによる音声信号が出力され、音声出力部８０からは、１２ｓｅｇＡＡＣの音声が出力される。
【００４２】
ここでタイミングＴ１に１２セグメント放送から１セグメント放送への切り替えトリガーが発生した場合、各要素で切り替え動作が開示される。タイミングＴ１は、ユーザ操作による指示、もしくはＣＮやＢＥＲに基づく受信状態の劣化の判定に基づいて決定される。タイミングＴ１からは、図２の状態２に移行する。ここでは、１ｓｅｇＯＦＤＭ復調部３０の電源が投入される。また、１／１２ｓｅｇＩＦＤＭ復調部３１の電源はＯＮのままである。
ＴＳ切替部４０の出力は、１／１２ｓｅｇ側が維持される。状態２では、１ｓｅｇＯＦＤＭ復調部３０側のＴＳは使用しないためのである。
【００４３】
そして、１セグメント用のＨ．２６４デコーダ６２はＯＮが維持され、１２セグメント用のＭＰＥＧ２デコーダ６３はＯＦＦになる。デコードするＴＳは、１／１２ｓｅｇＯＦＤＭ復調部３１で復調されたＴＳから分離されたものを使用するからである。従ってＶｉｄｅｏ切替部７１からは、Ｈ．２６４による１セグメント放送の映像が出力され、表示部８１の画面表示は、１セグメント放送のＨ．２６４の映像となる。
【００４４】
また音声に関しては、この状態では、１ｓｅｇＡＡＣデコーダ６０はＯＮが維持され、１２ｓｅｇＡＡＣデコーダ６１はＯＦＦになる。デコードするＴＳは、１／１２ｓｅｇＯＦＤＭ復調部３１で復調されたＴＳから分離されたものを使用するからである。Ａｕｄｉｏ切替部７０からは、１ｓｅｇＡＡＣによる音声信号が出力され、音声出力部８０からは、１ｓｅｇＡＡＣの音声が出力される。
【００４５】
タイミングＴ１で電源が投入された１ｓｅｇＯＦＤＭ復調部３０が立ち上がると、１ｓｅｇＯＦＤＭ復調部３０で復調した１ｓｅｇＴＳを用いた出力に切り替える。このタイミングをＴ２とする。タイミングＴ２は、１ｓｅｇＯＦＤＭ復調部３０の立ち上がり時間を考慮して所定時間を定め、タイマーでカウントすることにより決定することができる。もしくは、１ｓｅｇＯＦＤＭ復調部３０からのＴＳに含まれるステータスを見て切り替えるようにしてもよい。
【００４６】
タイミングＴ２からは、図２の状態３に移行する。ここでは、１ｓｅｇＯＦＤＭ復調部３０の電源はＯＮのままであり１／１２ｓｅｇＯＦＤＭ復調部３１の電源がＯＦＦとなる。また、ＴＳ切替部４０の出力は、１ｓｅｇ側に切り替えられる。状態３では、１ｓｅｇＯＦＤＭ復調部３０側のＴＳに切り替えるためである。
【００４７】
そして、１セグメント用のＨ．２６４デコーダ６２はＯＮが維持され、１２セグメント用のＭＰＥＧ２デコーダ６３はＯＦＦのままである。従ってＶｉｄｅｏ切替部７１からは、Ｈ．２６４による１セグメント放送の映像が出力され、表示部８１の画面表示は、１セグメント放送のＨ．２６４の映像となる。このときに、Ｈ．２６４デコーダ６２に入力する映像のＴＳは、１／１２ｓｅｇＯＦＤＭ復調部３１で復調されたＴＳから、１ｓｅｇＯＦＤＭ復調部３０で復調されたＴＳに切り替えられるため、Ｈ．２６４デコーダ６２で切り替えの遅延が生じる。しかしながら、１２セグメント放送と１セグメント放送はサイマルで放送されるため、切り替えの遅延が生じても映像の連続性という意味では、特に問題は生じない。また、１２セグメント放送と１セグメント放送の出力映像が同じタイミングとなるようそれぞれの遅延を調整すれば映像を連続させることができる。
【００４８】
また、音声に関しては、この状態では、１ｓｅｇＡＡＣデコーダ６０はＯＮが維持され、１２ｓｅｇＡＡＣデコーダ６１はＯＦＦのままである。従って、Ａｕｄｉｏ切替部７０からは、１ｓｅｇＡＡＣによる音声信号が出力され、音声出力部８０からは、１ｓｅｇＡＡＣの音声が出力される。このときに、音声においても、１ｓｅｇデコーダ６０に入力する音声のＴＳは、１／１２ｓｅｇＯＦＤＭ復調部３１で復調されたＴＳから、１ｓｅｇＯＦＤＭ復調部３０で復調されたＴＳに切り替えられるため、１ｓｅｇデコーダ６０で切り替えの遅延が生じる。しかしながら音声においても、映像と同様に切り替えの遅延が生じても、音声が途切れる等の問題は生じない。また、１２セグメント放送と１セグメント放送の出力音声が同じタイミングとなるようそれぞれの遅延を調整すれば音声を連続させることができる。
【００４９】
また、上記のように、１２ｓｅｇＯＦＤＭ復調部３１により復調されたＴＳから１ｓｅｇＯＦＤＭ復調部３０により復調されたＴＳへの切り替えタイミングは、サイマルによって特に厳密性を生じないことから、Ｔ２の切り替えタイミングは、映像と音声とにおいて特に一致していなくてもよく、映像と音声とにおいて個別に動作してもよい。また、１２セグメント放送と１セグメント放送の出力映像、音声が同じタイミングとなるようそれぞれの遅延を調整すれば映像、音声を連続させることができる。
【００５０】
なお、上記の例では、１／１２ｓｅｇＯＦＤＭ復調部３１で復調したＴＳから１ｓｅｇ復調部３０で復調したＴＳに切り替えた後に、１／１２ｓｅｇ復調部３１の電源をＯＦＦにしているが、上記の動作を実行させるためには、ＴＳの切り替え後に１／１２ｓｅｇＯＦＤＭ復調部３１の動作を停止して、１／１２ｓｅｇＯＦＤＭ復調部３１で電力を消費しないようにすればよい。１／１２ｓｅｇＯＦＤＭ復調部３１の動作を停止する他の例として、動作クロックを停止させるようにしてもよい。この場合、図１に示す水晶振動子１１１の発振出力を停止させることにより、発振回路の動作クロックを停止させる。これにより、電源をＯＦＦしたときと同様に１／１２ｓｅｇＯＦＤＭ復調部３１の動作を停止させ、電力を消費しない状態に移行させることができる。
【００５１】
また、上記のような１／１２ｓｅｇＯＦＤＭ復調部３１に水晶振動子１１０、１１１を外付けする構成のみならず、デジタル放送受信機内の別のブロックで使用しているクロックを各ＯＦＤＭ復調部３０、３１に供給して動作クロックとする場合には、ＴＳの切り替え後に１／１２ｓｅｇＯＦＤＭ復調部３１の入力でクロックをゲートすることにより、１／１２ｓｅｇＯＦＤＭ復調部３１の動作を停止させることができる。
つまり、電源をＯＦＦにする動作は、１／１２ｓｅｇＯＦＤＭ復調部３１の動作を停止するための一例であり、上記のような発振回路へのクロックの入力を停止もしくは遮断する等の手法によって１／１２ｓｅｇＯＦＤＭ復調部３１の動作を停止させ、電力を消費しないようにするものであればよく、その具体的な制御を限定するものではない。
【００５２】
（実施形態２）
図４は、本発明によるデジタル放送受信機の第２の実施形態の構成例を説明するためのブロック図である。上記第１の実施形態では、１２ｓｅｇＲＦ２０によって、全てのセグメントを受信していたが、本実施形態では、１セグメント用のチューナである１ｓｅｇＲＦ２１と、１３セグメント用のチューナである１２ｓｅｇＲＦ２２とを設け、これらを使い分けることでより低消費電力化を図るようにしている。ここでは、１３ｓｅｇＲＦ２２では、１３セグメント分の６ＭＨｚの帯域で受信する必要がある。一方、１ｓｅｇＲＦ２１は、その１／１４の帯域幅で受信できればよく、消費電力は１ｓｅｇＲＦ２１の方が小さい。
【００５３】
本実施形態のデジタル放送受信機１は、アンテナ１０で受信した１３セグメントのデジタル放送信号は１ｓｅｇＲＦ２１及び１３ｓｅｇＲＦ２２で受信可能となっている。そして１ｓｅｇＲＦ２１から出力された１ｓｅｇのＩＦ（中間周波数信号）は、１セグメント用のＯＦＤＭ復調部（１ｓｅｇＯＦＤＭ復調部）３０に出力され復調される。一方、１３ｓｅｇＲＦ２１から出力された１３ｓｅｇのＩＦ（中間周波数信号）は、１３セグメント用の１／１２ＯＦＤＭ復調部（１／１２ｓｅｇＯＦＤＭ復調部）３１に出力され、復調される。１ｓｅｇＯＦＤＭ復調部３０及び１／１２ｓｅｇ復調部３１は、それぞれ発振回路を内蔵しており、その外部に水晶振動子１１０、１１１を接続することで動作クロックを発生する。なお各復調部の動作クロックを発生するための構成としては、デジタル放送受信機内の別のブロックで使用しているクロックを各ＯＦＤＭ復調部３０、３１に供給して動作クロックとする構成であってもよい。
そして図４においては、受信信号の復調後の構成は図１と同様であり、同様の動作を実行するため、その繰り返しの説明は省略する。
【００５４】
図５は、図４に示す構成において、１２セグメント放送から１セグメント放送に切り替えるときの各部の動作を説明するための図である。本実施形態では、図２の制御項目に加えて２つのＲＦ（１ｓｅｇＲＦ２１，１３ｓｅｇＲＦ２２）の制御が加えられ、これにより低消費電力化を図るようにしている。
まずデジタル放送受信機１は、状態１にて、１２セグメント放送を受信して映像・音声を出力しているものとする。この場合、受信状態は“良”である。状態１では、ＲＦとしては１３ｓｅｇＲＦ２２が用いられている。そして、ＴＳ切替部４０の出力は、１２ｓｅｇＴＳ側に切り替えられている。実際にデコードするＴＳは、１／１２ｓｅｇＯＦＤＭ復調部３１から出力された１／１２セグメントのＴＳが、ＴＳ切り替え部４０を経ることなく第２Ｄｅｍｕｘ５１、及び第４Ｄｅｍｕｘ５３に入力し、１／１２セグメントから分離された１２セグメントのＴＳとなる。そして、ＡＡＣデコーダとしては１２ｓｅｇＡＡＣデコーダ６１が用いられ、ＶｉｄｅｏデコーダとしてはＭＰＥＧ２デコーダ６３が用いられる。このときに、１ｓｅｇＲＦ２１の電源制御はＯＦＦであり、１３ｓｅｇＲＦ２２の電源制御はＯＮになっている。また、１ｓｅｇＯＦＤＭ復調部３０の電源制御はＯＦＦであり、１／１２ｓｅｇＯＦＤＭ復調部３１の電源制御はＯＮになっている。
【００５５】
状態１で受信状態の劣化が検出され、もしくは所定のユーザ操作が行われることにより、１セグメント放送への切り替え動作に入る。この動作のトリガーは実施形態１と同様である。
１２セグメント放送から１セグメント放送への切り替え動作が生じると、デジタル放送受信機１では、図５の状態１から状態２へ移行する。状態２では、１ｓｅｇＲＦ２１と１ｓｅｇＯＦＤＭ復調部３０の電源を投入するとともに、１／１２ｓｅｇＯＦＤＭ復調部３１で復調した１／１２ｓｅｇのうちの１セグメントのＴＳを使用した映像・音声の出力に切り替える。
【００５６】
状態２では、使用しているＲＦは、１３ｓｅｇＲＦ２２である。また、ＴＳ切替部４０のスイッチングの出力が１ｓｅｇ側に切り替えられ、１／１２ｓｅｇＯＦＤＭ復調部３１で復調され出力された１／１２ｓｅｇのＴＳがＴＳ切替部４０を介して、１ｓｅｇ用の経路（第１Ｄｅｍｕｘ５０、及び第３Ｄｅｍｕｘ５２）に出力される。ここでは実際にデコードするＴＳは、１／１２ｓｅｇＯＦＤＭ復調部３１から出力された１／１２セグメントのＴＳがＴＳ切り替え部４０を経て第１Ｄｅｍｕｘ５０及び第３Ｄｅｍｕｘ５２に入力し、１／１２ｓｅｇのＴＳから分離された１セグメントのＴＳとなる。
【００５７】
状態２では、ＡＡＣデコーダとしては１ｓｅｇＡＡＣデコーダ６０が用いられ、ＶｉｄｅｏデコーダとしてはＨ．２６４デコーダ６２が用いられる。これら１ｓｅｇＡＡＣデコーダ６０及びＨ．２６４デコーダ６２では１／１２ｓｅｇＯＦＤＭ復調部３１で復調され、各Ｄｅｍｕｘ５０，５２で分離された１セグの音声及び映像のデコードをそれぞれ実行する。
そして状態２では、１ｓｅｇＲＦ２１、及び１３ｓｅｇＲＦ２２の電源制御がＯＮになり、１ｓｅｇＯＦＤＭ復調部３０の電源及び、１／１２ｓｅｇＯＦＤＭ復調部３１の電源制御がＯＮとなる。
【００５８】
電源を投入した１ｓｅｇＯＦＤＭ復調部３０が起動すると、状態２から状態３へ移行する。状態３は、１ｓｅｇＯＦＤＭ復調部３０で復調した１セグメントのＴＳを使用して映像・音声を出力する状態である。状態３では、１ｓｅｇＲＦ２１が使用され、ＴＳ切替部４０の出力は、１ｓｅｇＴＳ側のままである。つまり、１ｓｅｇＯＦＤＭ復調部３０で復調されて出力された１セグメントのＴＳを、第１Ｄｅｍｕｘ５０及び第３Ｄｅｍｕｘ５２に出力させる。
【００５９】
状態３では、ＡＡＣデコーダとしては１ｓｅｇＡＡＣデコーダ６０が用いられ、ＶｉｄｅｏデコーダとしてはＨ．２６４デコーダ６２が用いられる。これら１ｓｅｇＡＡＣデコーダ６１及びＨ．２６４デコーダ６２では、１ｓｅｇＯＦＤＭ復調部３０で復調され、各Ｄｅｍｕｘ５０，５２で分離された１セグメント放送の音声及び映像のデコードをそれぞれ実行する。
そして状態３では、１ｓｅｇＲＦ２１の電源はＯＮのままであり、１３ｓｅｇＲＦ２２の電源制御はＯＦＦになる。
【００６０】
上記の動作によって、１２セグメントの状態１から１セグメントの状態３に移行するときに、１セグＯＦＤＭ復調部３０の電源をＯＮにしてそのデコード信号を出力できるようになるまで、状態２で動作することにより、映像や音声が途切れることなく、１２セグメント放送から１セグメント放送への切り替えを行うことができる。また、１２セグメント放送から１セグメント放送に切り替えるまでは１ｓｅｇＯＦＤＭ復調部３０の電源をＯＦＦにしておくことができ、かつ１２セグメント放送から１セグメント放送に切り替えた後は、１ｓｅｇＯＦＤＭ復調部３０よりも消費電力の大きい１／１２ｓｅｇＯＦＤＭ復調部３１の電源をＯＦＦにすることができ、低消費電力化を図ることができる。さらに、本実施形態では１２セグメント放送から１セグメント放送に切り替えるときに、ＲＦについても消費電力の小さい１ｓｅｇＲＦ２１に切り替えるようにしているので、さらなる低消費電力化を実現することができる。
【００６１】
図６は、本発明に係るデジタル放送受信機の動作タイミングを説明するためのタイムチャート図で、１２セグメント（１２ｓｅｇ）放送から１セグメント放送への切り替え時の動作を示すものである。ここでは、図４の構成における１ｓｅｇＯＦＤＭ復調部３０、１／１２ｓｅｇＯＦＤＭ復調部３１、ＴＳ切替部４０、Ｈ．２６４デコーダ６１、ＭＰＥＧ２デコーダ６３、Ｖｉｄｅｏ切替部７１、表示部８１、１ｓｅｇＡＡＣデコーダ６０、１２ｓｅｇＡＡＣデコーダ６１、Ａｕｄｉｏ切替部７０、Ａｕｄｉｏ（音声）出力部８０、及び１ｓｅｇＲＦ２１と１３ｓｅｇＲＦ２２の動作タイミングを示している。
【００６２】
１２セグメント放送を受信して出力している状態（図５の状態１）では、１ｓｅｇＲＦ２１の電源はＯＦＦであり、１３ｓｅｇＲＦ２２の電源がＯＮになっている。また１ｓｅｇＯＦＤＭ復調部３０の電源はＯＦＦで、１／１２ｓｅｇＩＦＤＭ復調部３１の電源はＯＮになっている。ＴＳ切替部４０の出力は、１／１２ｓｅｇ側になっている。また１セグメント用のＨ．２６４デコーダ６２、及び１２セグメント用のＭＰＥＧ２デコーダ６３は共にＯＮである。Ｖｉｄｅｏ切替部７１からは、ＭＰＥＧ２による１２セグメント放送の映像が出力され、表示部８１の画面表示は、ＭＰＥＧ２（１２ｓｅｇ）の映像となる。
【００６３】
また、音声に関しては、この状態では、１ｓｅｇＡＡＣデコーダ６０、及び１２ｓｅｇＡＡＣデコーダ６１は共にＯＮである。Ａｕｄｉｏ切替部７０からは、１２ｓｅｇＡＡＣによる音声信号が出力され、音声出力部８０からは、１２ｓｅｇＡＡＣの音声が出力される。
【００６４】
ここでタイミングＴ１に１２セグメント放送から１セグメント放送への切り替えトリガーが発生した場合、各要素で切り替え動作が開示される。タイミングＴ１は、ユーザ操作による指示、もしくはＣＮやＢＥＲに基づく受信状態の劣化の判定に基づいて決定される。タイミングＴ１からは、図５の状態２に移行する。ここでは、１ｓｅｇＲＦ２１の電源が投入されるともに、１３ｓｅｇＲＦ２２はＯＮのまま維持される。また、１ｓｅｇＯＦＤＭ復調部３０の電源が投入され、１／１２ｓｅｇＩＦＤＭ復調部３１の電源はＯＮのままである。
ＴＳ切替部４０の出力は、１／１２ｓｅｇ側が維持される。状態２では、１ｓｅｇＯＦＤＭ復調部３０側のＴＳは使用しないためである。
【００６５】
そして、１セグメント用のＨ．２６４デコーダ６２はＯＮが維持され、１２セグメント用のＭＰＥＧ２デコーダ６３はＯＦＦになる。デコードするＴＳは、１／１２ｓｅｇＯＦＤＭ復調部３１で復調されたＴＳから分離されたものを使用するからである。従ってＶｉｄｅｏ切替部７１からは、Ｈ．２６４による１セグメント放送の映像が出力され、表示部８１の画面表示は、１セグメント放送のＨ．２６４の映像となる。
【００６６】
また、音声に関しては、この状態では、１ｓｅｇＡＡＣデコーダ６０はＯＮが維持され、１２ｓｅｇＡＡＣデコーダ６１はＯＦＦになる。デコードするＴＳは、１／１２ｓｅｇＯＦＤＭ復調部３１で復調されたＴＳから分離されたものを使用するからである。Ａｕｄｉｏ切替部７０からは、１ｓｅｇＡＡＣによる音声信号が出力され、音声出力部８０からは、１ｓｅｇＡＡＣの音声が出力される。
【００６７】
タイミングＴ１で電源が投入された１ｓｅｇＯＦＤＭ復調部３０が立ち上がると、１ｓｅｇＯＦＤＭ復調部３０で復調した１ｓｅｇＴＳを用いた出力に切り替える。このタイミングをＴ２とする。タイミングＴ２は、１ｓｅｇＯＦＤＭ復調部３０の立ち上がり時間を考慮して所定時間を定め、タイマーでカウントすることにより決定することができる。もしくは、１ｓｅｇＯＦＤＭ復調部３０からのＴＳに含まれるステータスを見て切り替えるようにしてもよい。
【００６８】
タイミングＴ２からは、図５の状態３に移行する。ここでは、１ｓｅｇＲＦ２１の電源はＯＮのままであるが、１３ｓｅｇＲＦ２２の電源はＯＦＦとなる。また、１ｓｅｇＯＦＤＭ復調部３０の電源はＯＮのままであり、１／１２ｓｅｇＯＦＤＭ復調部３１の電源がＯＦＦとなる。また、ＴＳ切替部４０の出力は、１ｓｅｇ側に切り替えられる。状態３では、１ｓｅｇＯＦＤＭ復調部３０側のＴＳに切り替えるためのである。
【００６９】
そして、１セグメント用のＨ．２６４デコーダ６２はＯＮが維持され、１２セグメント用のＭＰＥＧ２デコーダ６３はＯＦＦのままである。従ってＶｉｄｅｏ切替部７１からは、Ｈ．２６４による１セグメントの映像が出力され、表示部８１の画面表示は、１セグメント放送のＨ．２６４の映像となる。このときに、Ｈ．２６４デコーダ６２に入力する映像のＴＳは、１／１２ｓｅｇＯＦＤＭ復調部３１で復調されたＴＳから、１ｓｅｇＯＦＤＭ復調部３０で復調されたＴＳに切り替えられるため、Ｈ．２６４デコーダ６２で切り替えの遅延が生じる。しかしながら、１２セグメント放送と１セグメント放送はサイマルで放送されるため、切り替えの遅延が生じても映像の連続性という意味では、特に問題は生じない。また、１２セグメント放送と１セグメント放送の出力映像が同じタイミングとなるようそれぞれの遅延を調整すれば映像を連続させることができる。
【００７０】
また、音声に関しては、この状態では、１ｓｅｇＡＡＣデコーダ６０はＯＮが維持され、１２ｓｅｇＡＡＣデコーダ６１はＯＦＦのままである。従って、Ａｕｄｉｏ切替部７０からは、１ｓｅｇＡＡＣによる音声信号が出力され、音声出力部８０からは、１ｓｅｇＡＡＣの音声が出力される。このときに、音声においても、１ｓｅｇデコーダ６０に入力する音声のＴＳは、１／１２ｓｅｇＯＦＤＭ復調部３１で復調されたＴＳから、１ｓｅｇＯＦＤＭ復調部３０で復調されたＴＳに切り替えられるため、１ｓｅｇデコーダ６０で切り替えの遅延が生じる。しかしながら音声においても、映像と同様に切り替えの遅延が生じても、特に問題は生じない。また、１２セグメント放送と１セグメント放送の出力音声が同じタイミングとなるようそれぞれの遅延を調整すれば音声を連続させることができる。
【００７１】
また、上記のように、１２ｓｅｇＯＦＤＭ復調部３１により復調されたＴＳから１ｓｅｇＯＦＤＭ復調部３０により復調されたＴＳへの切り替えタイミングは、サイマルによって特に厳密性を生じないことから、Ｔ２の切り替えタイミングは、映像と音声とにおいて特に一致していなくてもよく、映像と音声とにおいて個別に動作してもよい。また、１２セグメント放送と１セグメント放送の出力映像、音声が同じタイミングとなるようそれぞれの遅延を調整すれば映像、音声を連続させることができる。
【００７２】
なお、本実施形態２においても、１／１２ｓｅｇＯＦＤＭ復調部３１で復調したＴＳから１ｓｅｇ復調部３０で復調したＴＳに切り替えた後に、１／１２ｓｅｇ復調部３１の電源をＯＦＦにしているが、実施形態１と同様に、ＴＳ切り替えの際に、水晶振動子１１１の発振出力を停止させることにより、発振回路の動作クロックを停止させるようにしてもよい。これにより、電源をＯＦＦしたときと同様に１／１２ｓｅｇＯＦＤＭ復調部３１の動作を停止させ、電力を消費しない状態に移行させることができる。また、デジタル放送受信機内の別のブロックで使用しているクロックを各ＯＦＤＭ復調部３０、３１に供給して動作クロックとする場合には、ＴＳの切り替え後に１／１２ｓｅｇＯＦＤＭ復調部３１の入力でクロックをゲートすることにより、１／１２ｓｅｇＯＦＤＭ復調部３１の動作を停止させることができる。つまり、発振回路へのクロックの入力を停止もしくは遮断する等の手法によって１／１２ｓｅｇＯＦＤＭ復調部３１の動作を停止させ、電力を消費しないようにするものであればよく、１／１２ｓｅｇＯＦＤＭ復調部３１の動作を停止させる制御を限定するものではない。
【００７３】
また、上記実施形態１及び実施形態２の例では、１２セグメント放送により送信される放送波と、その１２セグメント放送のサイマル送信である１セグメントの放送波とを切り替える構成及び動作を説明したが、本発明は、デジタル放送波によって２〜３つの複数のＳＤが送信されているケースにも適用できる。この場合、デジタル放送受信機では、複数のＳＤ放送のいずれかにサイマルの１セグメント放送が送信されているケースが多く、これらの相互切り替えが可能である。１２セグメント放送を出力するときには、制御部１００でＤｅｍｕｘを制御し、複数のＳＤから特定のＳＤを分離してデコーダに送らせるようにする。そして１２セグメント放送から１セグメント放送に切り替えるときに、上記と各実施形態と同様の動作によって受信した放送波から１セグメント放送を取り出し、デコードして切り替えるようにすればよい。すなわち、受信するセグメント数を減らすことにより動作するＲＦ部や復調部をより消費電力のものに切り替えることで低消費電力化を図ることができる。またＳＤ／ＨＤ放送等と１セグメント放送のコンテンツの違いによりデコーダ部をより低消費電力のものに切り替えることで低消費電力化を図ることができる。
【図面の簡単な説明】
【００７４】
【図１】本発明によるデジタル放送受信機の１実施形態の構成例を説明するためのブロック図である。
【図２】図１に示す構成において１２セグメント放送から１セグメント放送に切り替えるときの各部の動作を説明するための図である。
【図３】本発明に係るデジタル放送受信機の動作タイミングを説明するためのタイムチャート図である。
【図４】本発明によるデジタル放送受信機の第２の実施形態の構成例を説明するためのブロック図である。
【図５】図４に示す構成において１２セグメント放送から１セグメント放送に切り替えるときの各部の動作を説明するための図である。
【図６】本発明に係るデジタル放送受信機の動作タイミングを説明するためのタイムチャート図である。
【図７】地上デジタル放送の概要を説明する図で地上デジタルの１チャネル分の放送信号の構成を示すものである。
【図８】１２セグメント放送と１セグメント放送の両方の放送信号を受信可能とした従来のデジタル放送受信機の構成例を説明するためのブロック図である。
【符号の説明】
【００７５】
１…デジタル放送受信機、１０…アンテナ、２０…１３ｓｅｇＲＦ、２１…１ｓｅｇＲＦ２２…１３ｓｅｇＲＦ、３０…１ｓｅｇＯＦＤＭ復調部、３１…１／１２ｓｅｇＯＦＤＭ復調部、４０…ＴＳ切替部、５０〜５３…Ｄｅｍｕｘ、６０…１ｓｅｇＡＡＣデコーダ、６１…１２ｓｅｇＡＡＣデコーダ、６２…Ｈ.２６４デコーダ、６３…ＭＰＥＧ２デコーダ、７０…Ａｕｄｉｏ切替部、７１…Ｖｉｄｅｏ切替部、８０…音声出力部、８１…表示部、９０…電源制御部、１００…制御部、１１０，１１１…水晶発振子。
【図１】
2010136184.tif 000003
【図２】
2010136184.tif 000004
【図３】
2010136184.tif 000005
【図４】
2010136184.tif 000006
【図５】
2010136184.tif 000007
【図６】
2010136184.tif 000008
【図７】
2010136184.tif 000009
【図８】
2010136184.tif 000010